(57)【特許請求の範囲】
【請求項１】
光源部と前記光源部の周囲に設けられた環状の周部とを有する本体部に、前記光源部を覆った状態で取り付けられるカバーであって、
一つの部品で構成され、
外周面が球面状をした外周面部であり、内部が中空形状をし、前記外周面部の一部に開口が形成された主部と、
前記開口の縁部であり、前記周部に取り付けられるカバー取付部と、
前記外周面から前記内部に向かって凹んだ形状が前記外周面部に前記開口と平行になるよう環状に配設された凹部と、備え、
前記開口は、前記周部の径よりも大きな径であり、前記外周面部の最大径となるカバー外周部より小さい径で形成され、
前記凹部は、前記開口と前記カバー外周部との間に形成されているカバー。
【請求項２】
前記凹部は、
底部と、前記カバー外周部の側の前記外周面部から前記底部に向かって傾斜する第１傾斜部と、前記底部から前記開口の側の前記外周面部まで傾斜する第２傾斜部とを有し、
前記カバー外周部の側に外周面部と前記第１傾斜部との境界と、前記第１傾斜部と前記底部との境界と、前記底部と前記第２傾斜部との境界と、前記第２傾斜部と前記開口の側の前記外周面部との境界とは、連続する曲面により構成された請求項１に記載のカバー。
【請求項３】
前記第１傾斜部は、
前記カバー取付部の側に突き出た曲面部を有する請求項２に記載のカバー。
【請求項４】
前記第１傾斜部において前記開口の側から前記カバー外周部の側に向かう軸方向の幅は、前記第２傾斜部の前記軸方向の幅より大きい請求項２または請求項３に記載のカバー。
【請求項５】
前記凹部が形成された部分の厚みが、前記凹部が形成されてない部分の厚みよりも薄い請求項１から請求項４のいずれか１項に記載のカバー。
【請求項６】
前記光源部は、
光源回路基板と、前記光源回路基板の実装面である実装部に実装された光源素子とを備え、
前記凹部は、
前記光源素子の上端と前記カバー取付部との間の前記外周面部に形成された請求項１から請求項５のいずれか１項に記載のカバー。
【請求項７】
請求項１から請求項６のいずれか１項に記載のカバーと、
光源部と、
前記光源部が配置される光源配置部と、前記光源配置部の周囲に設けられた環状の周部とを有し、前記カバーが取り付けられる本体部と、
を備えた灯具。
【請求項８】
請求項７に記載の灯具と、前記灯具が取り付けられる照明器具とを備えた照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ：発光ダイオード）を用いた灯具、灯具に用いられるカバー、灯具を用いた照明装置に関する。特に、電球形ランプである灯具におけるカバーの形態及びカバーと本体部との取付け構造に関する。
【背景技術】
【０００２】
従来、光源としてＬＥＤが用いられ、ミニクリプトン電球に置換え可能な小形ＬＥＤランプの広配光化技術が開示されている。
特許文献１から特許文献３には、導光体を用いて広配光化を目指した小形ＬＥＤランプが開示されている。
【先行技術文献】
【特許文献】
【０００３】
【特許文献１】特開２０１４−２３５８０２号公報
【特許文献２】特許第５６８６１９８号公報
【特許文献３】特許第５１７８９３０号公報
【発明の概要】
【発明が解決しようとする課題】
【０００４】
特許文献１では、広配光化を目的として、グローブ内部に加工を施した技術が開示されている。
特許文献２では、グローブを複数に分割し、配光領域を広げる技術が開示されている。
特許文献３では、広配光化を目的として、グローブの内部に導光材料を配置する技術が開示されている。
特許文献１から特許文献３に開示されている技術は、いずれも広い配光のために複雑な構成を要するため、小型化及び軽量化をすることができないという課題がある。
【０００５】
本発明は、簡単な構成で広配光を実現することにより、小型化及び軽量化を妨げることなく、安価に広配光を得ることができるカバー、カバーを用いた灯具及び灯具を備えた照明装置を提供することを目的とする。
【課題を解決するための手段】
【０００６】
本発明に係るカバーは、光源部と光源部の周囲に設けられた環状の周部とを有する本体部に、光源部を覆った状態で取り付けられるカバーであって、一つの部品で構成され、カバーの最大外径より小さい径で環状に形成された、周部に取り付けられるカバー取付部と、カバーの外周面部のうち、外周面部からカバー取付部を除いた部分の最大外径をなすカバー外周部とカバー取付部との間に形成された環状の凹部とを備えた。
【発明の効果】
【０００７】
本発明に係るカバーによれば、一つの部品で構成され、カバーの最大外径より小さい径で環状に形成された、本体部の周部に取り付けられるカバー取付部と、カバーの外周面部のうち、外周面部からカバー取付部を除いた部分の最大外径をなすカバー外周部と、カバー取付部との間に形成された環状の凹部とを備えたので、灯具の小型化及び軽量化を妨げることなく、安価に広い配光を得ることができる。
【図面の簡単な説明】
【０００８】
【図１】実施の形態１に係る灯具１００の分解斜視図。
【図２】実施の形態１に係る灯具１００の斜視図。
【図３】実施の形態１に係る灯具１００を示す図であり、（ａ）が平面図、（ｂ）が底面図。
【図４】実施の形態１に係る灯具１００を示す図であり、（ａ）が正面図、（ｂ）が図３の（ａ）のＡ−Ａ断面図、（ｃ）が図３の（ａ）のＢ−Ｂ断面図。
【図５】実施の形態１に係る内部筐体２の分解斜視図。
【図６】実施の形態１に係る内部筐体２を示す図であり、（ａ）が底面図、（ｂ）が平面図。
【図７】実施の形態１に係る内部筐体２を示す図であり、（ａ）が図６の（ｂ）の正面図、（ｂ）が図６の（ｂ）の右側面図、（ｃ）が図６の（ｂ）の背面図。
【図８】実施の形態１に係る内部筐体２を示す図であり、（ａ）は図７の（ｂ）のＤ−Ｄ断面図、（ｂ）は図７の（ａ）（ｃ）のＣ−Ｃ断面図。
【図９】実施の形態１に係る内部筐体２に電源部５を収納した状態を示す図。
【図１０】実施の形態１に係る内部筐体２ａの分解斜視図。
【図１１】実施の形態１に係る本体部３を示す図であり、（ａ）は上部から見た斜視図、（ｂ）は下部から見た斜視図。
【図１２】実施の形態１に係る本体部３を示す図であり、（ａ）が平面図、（ｂ）が底面図。
【図１３】実施の形態１に係る本体部３を示す図であり、（ａ）が正面図、（ｂ）が図１２の（ａ）のＥ−Ｅ断面図、（ｃ）が図１２の（ａ）のＦ−Ｆ断面図。
【図１４】実施の形態１に係る本体部３を示す図であり、（ａ）が図１３の（ｂ）のＡ部拡大図、（ｂ）が図１３の（ｃ）のＢ部拡大図。
【図１５】実施の形態１に係るカバー４の斜視図。
【図１６】実施の形態１に係るカバー４を示す図であり、（ａ）が平面図、（ｂ）が底面図。
【図１７】実施の形態１に係るカバー４を示す図であり、（ａ）が正面図、（ｂ）が図１６の（ａ）のＤ−Ｄ断面図、（ｃ）が図１６の（ａ）のＣ−Ｃ断面図。
【図１８】実施の形態１に係るカバー４を示す図であり、（ａ）が図１７の（ｃ）のＱ部拡大図、（ｂ）が図１７の（ｂ）のＰ部拡大図。
【図１９】実施の形態１に係る凹部４１０の光学特性の作用効果を示す図。
【図２０】実施の形態１に係る灯具１００の光学的作用効果を説明する配光特性図。
【図２１】実施の形態１に係る本体部３とカバー４との取付け構造を示す図。
【図２２】実施の形態１に係る本体部３とカバー４との取付け構造を示す図であり、（ａ）が図４の（ｃ）のＱ１部拡大図、（ｂ）が図４の（ｂ）のＰ１部拡大図。
【図２３】実施の形態１に係る本体部３とカバー４との取付け構造を示す図であり、（ａ）は本体部３とカバー４との取付け構造を軸Ｏの周方向に切った断面図、（ｂ）が本体部３とカバー４との取付け構造を軸Ｏに直交する面で切った断面図。
【図２４】実施の形態１に係る灯具１００を吊り下げタイプの照明器具２００に装着した照明装置３０００ａを示す図。
【図２５】実施の形態１に係る灯具１００を埋め込みタイプの照明器具３００に装着した照明装置３０００ｂを示す図。
【図２６】実施の形態１に係る灯具１００を埋め込みタイプの照明器具４００に装着した照明装置３０００ｃを示す図。
【発明を実施するための形態】
【０００９】
以下、本発明の実施の形態について、図を用いて説明する。なお、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、部品等の配置や向き等を限定するものではない。
【００１０】
実施の形態１．
＊＊＊灯具１００の構成の説明＊＊＊
図１は、本実施の形態に係る灯具１００の分解斜視図である。
図２は、本実施の形態に係る灯具１００の斜視図である。
図３は、本実施の形態に係る灯具１００を示す図であり、（ａ）が平面図、（ｂ）が底面図である。
図４は、本実施の形態に係る灯具１００を示す図であり、（ａ）が正面図、（ｂ）が図３の（ａ）のＡ−Ａ断面図、（ｃ）が図３の（ａ）のＢ−Ｂ断面図である。
【００１１】
灯具１００は、口金１と、内部筐体２と、本体部３と、カバー４と、電源部５と、光源部６とを有する。
図１に示すように、灯具１００の中心軸を軸Ｏとする。
軸Ｏと平行な方向を軸方向あるいは矢印Ｚの方向（Ｚ方向）という。軸方向の一端とは、図４の（ａ）において、上部をいう。軸方向の他端とは、図４の（ａ）において、下部をいう。
灯具１００の上部側への向きを、上方あるいは発光向きという。また、灯具１００の下部側への向きを、下方あるいは発光向きの反対向きという。なお、光源が発する光の向きを発光向きという。
軸Ｏと直交する方向を径方向という。図３に示すように、矢印Ｘの方向（Ｘ方向）、矢印Ｙの方向（Ｙ方向）は径方向の一例である。また、軸Ｏの周囲を回転する方向を周方向という。
灯具１００は、具体的には、ＬＥＤを光源として用いたミニクリプトンタイプの小型電球である。
【００１２】
図４の（ａ）に示すように、本実施の形態に係る灯具１００では、広配光を目的としているため、本体部３とカバー４との境界はできるだけ口金１の側に設けることが望ましい。
具体的には、灯具１００の長手寸法Ｌ１に対するカバー４の高さ寸法（Ｌ６＋Ｌ７＋Ｌ８＋Ｌ９＋Ｄ１）の割合は、３７％〜４３％である。特に３９％〜４１％が望ましい。
【００１３】
＜口金１の説明＞
口金１は、具体的にはＥ１７の口金である。口金１は、内部筐体２の下部のネジ部２１０にねじ込まれ、内部筐体２に取り付けられる。
図１から図４に示すように、口金１は、内部筐体２のネジ部２１０にねじ込まれるネジ部１０、口金１の下端部のアイレット部１２、アイレット部１２から口金内部に形成されたアイレット孔１３を有する。口金１は、後述する照明器具２００のソケット２０１から受電する受電部ともいう。また、口金１は、灯具１００の外郭部としての機能を有する。
【００１４】
＜内部筐体２，２ａの説明＞
【００１５】
図５は、本実施の形態に係る内部筐体２の分解斜視図である。
図６は、本実施の形態に係る内部筐体２を示す図であり、（ａ）が底面図、（ｂ）が平面図である。
図７は、本実施の形態に係る内部筐体２を示す図であり、（ａ）が図６の（ｂ）の正面図、（ｂ）が図６の（ｂ）の右側面図、（ｃ）が図６の（ｂ）の背面図である。
図８は、本実施の形態に係る内部筐体２を示す図であり、（ａ）は図７の（ｂ）のＤ−Ｄ断面図、（ｂ）は図７の（ａ）（ｃ）のＣ−Ｃ断面図である。
図９は、本実施の形態に係る内部筐体２に電源部５を収納した状態を示す図である。
図１０は、本実施の形態に係る内部筐体２ａの分解斜視図である。
【００１６】
図１から図１０を用いて、内部筐体２，２ａについて説明する。
内部筐体２は、樹脂などの絶縁材により形成される。
内部筐体２は、絶縁筐体、樹脂筐体、ハウジングともいう。
内部筐体２は、射出成形法の他、付加製造技術（Ａｄｄｉｔｉｖｅ  Ｍａｎｕｆａｃｔｕｒｉｎｇ  Ｔｅｃｈｎｏｌｏｇｙ；一般に、３Ｄプリンターとも称される）を用いて形成されてもよい。
【００１７】
内部筐体２は、外周部２１と内周部２２とを有する筒状の筒部２０と、筒部２０の上部を塞ぐ蓋部２５とを有する。
筒部２０及び蓋部２５は、樹脂などの絶縁材により形成される。
【００１８】
筒部２０の外周部２１の下部には、口金１がねじ込まれるネジ部２１０が形成される。
ネジ部２１０の外周にはネジが切られている。
ネジ部２１０の下端部、すなわち口金１の側には開口する第１開口端部２３が形成される。
筒部２０の上端部、すなわち光源部６の側には開口する第２開口端部２４が形成される。
第１開口端部２３から第２開口端部２４までは連通する。
【００１９】
筒部２０の外周部２１には、内部筐体２を本体部３に挿入する際のガイドとなる挿入ガイド凸部２１２と、本体部３の下部に係止される鍔部２１１とを備える。
本体部３と口金１の間には、内部筐体２の鍔部２１１が露出する。
鍔部２１１は、外周部２１とネジ部２１０との境界に、外周部２１から環状に突き出して形成される。鍔部２１１は灯具１００の外殻部である。
図８の（ａ）（ｂ）に示すように、鍔部２１１は、灯具１００の高い器具装着性と意匠性とを実現するために、ネジ部２１０側の下端部と上端部との間は曲面で形成される。具体的には、Ｒｐ＝１．９ｍｍ程度が好ましい。
【００２０】
外周部２１のネジ部２１０には、ネジ切り部分が軸方向にカットされて形成された電線配置溝２１３が形成される。電線配置溝２１３は、溝部分に電線が配置される。
【００２１】
第２開口端部２４には、光源部６及び蓋部２５をネジ止めするためのネジ孔２２２が形成されたリブ２２１が設けられる。リブはボスともいう。
図６の（ｂ）及び図８の（ａ）に示すように、第１凸部２２３と第２凸部２２４とは、リブ２２１を挟んで内周部２２に形成される。第１凸部２２３と第２凸部２２４とは、軸方向における長さが異なり、それぞれの上端部の位置が異なる。このように第１凸部２２３と第２凸部２２４とが形成されることにより、電源部５の点灯回路基板５０の挿入位置と挿入向きとを特定する。第１凸部２２３と第２凸部２２４とは、電源部５の点灯回路基板５０の挿入位置と挿入向きとを特定するためのガイドである。第１凸部２２３と第２凸部２２４とは、点灯回路基板５０の外形に合わせて形成される。
【００２２】
蓋部２５は、筒部２０の第２開口端部２４を覆うように取り付けられる。
蓋部２５には、筒部２０のリブ２２１を貫通させて位置決めすると共に、ネジを貫通させるネジ貫通部２６と、電線を貫通させる電線貫通孔２７とが形成される。
蓋部２５の厚さ寸法Ｄ３（図１０参照）として、電源部５と光源配置部３０との電気的絶縁が維持される寸法が選択される。また、灯具１００の小型化の要求から、蓋部２５の厚さ寸法Ｄ３は、筒部２０の一端側から突出しているリブ２２１の突出寸法Ｌ１５（図８の（ｂ）参照）以下であることが好ましい。
【００２３】
図１０では、蓋部の形態が異なる内部筐体２ａを示している。内部筐体２ａは、蓋部２５とは異なる形のネジ貫通部２６ａが形成された蓋部２５ａを備える。蓋部２５ａのネジ貫通部２６ａは、蓋部２５ａの周縁まで切り欠かれている。
なお、ネジ貫通部２６，２６ａ及び電線貫通孔２７の形は、図５あるいは図１０の形でなくてもよく、他の形でも構わない。
【００２４】
＜電源部５の説明＞
電源部５は、筒状の内部筐体２の収容部２２０に収納される。
電源部５は、点灯回路基板５０を有する。図４の（ｂ）に示すように、電源部５には第１電線対８を介して口金１から電力が供給され、光源部６を点灯させる。電源部５は、光源部６を点灯させる点灯回路、駆動回路ともいう。第１電線対８は、外部電力入力線ともいう。
【００２５】
点灯回路基板５０は、長尺状で、長手方向が灯具１００の中心軸Ｏ−Ｏに沿うように、内部筐体２の収容部２２０に配置される。
図９に示すように、点灯回路基板５０は、光源部６の側の長手両側部が内部筐体２の内周部２２と内周部２２から内側に張出したリブ２２１とによって保持される。
点灯回路基板５０の長手方向の外形は、内部筐体２の内周部２２に沿うように形成される。光源部６の側の幅寸法Ｗ１６に対して、口金１の側の幅寸法が小さく形成されており、長手方向において、長手両側部は異なる位置で幅が変化するように形成されている。
【００２６】
点灯回路基板５０の長手両側部の幅の変化は、内部筐体２の内周部２２に形成された第１凸部２２３、第２凸部２２４の形態に対応したものである。第１凸部２２３と第２凸部２２４は、点灯回路基板５０の挿入位置と挿入向き（表裏）が逆にならないように点灯回路基板５０の挿入をガイドしている。逆に挿入しようとしても、点灯回路基板５０が収容部２２０に不完全に挿入された状態で留まるため、組立作業で点灯回路基板５０向きの確認しやすく、製造品質と製造効率を向上させることができる。
なお、点灯回路基板５０の枚数は１枚でなくてもよい。点灯回路基板５０は、複数に分割されてもよいものとする。
【００２７】
＜本体部３の説明＞
図１１は、本実施の形態に係る本体部３を示す図であり、（ａ）は上部から見た斜視図、（ｂ）は下部から見た斜視図である。
図１２は、本実施の形態に係る本体部３を示す図であり、（ａ）が平面図、（ｂ）が底面図である。
図１３は、本実施の形態に係る本体部３を示す図であり、（ａ）が正面図、（ｂ）が図１２の（ａ）のＥ−Ｅ断面図、（ｃ）が図１２の（ａ）のＦ−Ｆ断面図である。
図１４は、本実施の形態に係る本体部３を示す図であり、（ａ）が図１３の（ｂ）のＡ部拡大図、（ｂ）が図１３の（ｃ）のＢ部拡大図である。
【００２８】
図１〜図４及び図１１〜図１４を用いて、本体部３の構成について説明する。
本体部３は、光源部６が配置される光源配置部３０と、光源配置部３０の周囲から光源部６の発光向きと反対向きに設けられた環状の周部３３とを有する。
【００２９】
光源配置部３０は、本体部３の上面部であり、光源回路基板６０の裏面である熱伝達部６２が当接した状態で、光源部６が取り付けられる。
また、本体部３は、内部筐体２を内部に収納する筒部３６を備える。筒部３６の下部の開口端部３６５から内部筐体２が挿入される。筒部３６は灯具１００の外郭部の機能を有する。
筒部３６は、周部３３と連結され、周部３３から下方に向かって徐々に径が小さくなる錐状部３６１と、錐状部３６１から下方に形成された円筒形の円筒部３６０とを備える。円筒部３６０の下端部が開口端部３６５となる。
筒部３６は、外周面である外周部３６２と、内周面である内周部３６３とを備える。内周部３６３には、凹みである挿入ガイド凹部３６４が形成される。挿入ガイド凹部３６４は、内部筐体２の挿入ガイド凸部２１２と係合して、内部筐体２における筒部３６への挿入をガイドする。
【００３０】
本体部３は、熱伝導性を有する金属などの材料で形成され、外部筐体、熱伝導筐体、放熱部ともいう。
本体部３は、灯具１００の外殻部として安定して形態を維持させる機能、及び、光源部６の光源素子６７から発せられる動作熱を灯具１００の外部へ放散させる機能を備える。本体部３の材質は、材料コストや成型性を優先するとアルミニウム、チタンなどの金属材料が望ましい。あるいは、これらの金属を含む合金材料、熱伝導性のフィラーが混合された樹脂材料、セラミックなどを用いることができる。
また、本体部３は、射出成形法、切削法の他、付加製造技術（Ａｄｄｉｔｉｖｅ  Ｍａｎｕｆａｃｔｕｒｉｎｇ  Ｔｅｃｈｎｏｌｏｇｙ）を用いて形成されてもよい。
【００３１】
光源配置部３０は、光源部６の光源回路基板６０と当接する取付面部３７を有する。
光源配置部３０には、光源部６が取り付けられた場合に、光源回路基板６０のネジ貫通孔６５と連通するネジ貫通孔３１と、光源回路基板６０の電線挿通孔６６と連通する電線貫通孔３２とが形成される。
光源回路基板６０のネジ貫通孔６５及び電線挿通孔６６の形、光源配置部３０のネジ貫通孔３１及び電線貫通孔３２の形は、図１、図１１、あるいは図１２の形でなくてもよく、他の形でも構わない。
【００３２】
周部３３は、光源配置部３０の周囲から光源部６の発光向きと反対向きに設けられる。周部３３は、カバー４を本体部３に取り付ける本体取付部である。
周部３３は、光源配置部３０の周囲から発光向きと反対向きに設けられた環状の周壁部３４と、周壁部３４の根元から突き出た環状の底面部３５と、周壁部３４の少なくとも一部から突き出た取付凸部３４０とを備える。また、取付凸部３４０は、底面部３５に対向する対向部３４３（図１４参照）を有する。また、周部３３は、底面部３５の一部に溝部３５０を有する。
【００３３】
周壁部３４は、光源配置部３０の周囲から下方に形成された環状の壁部である。
図１２の（ａ）に示すように、取付凸部３４０は、周壁部３４の４か所に等間隔で設けられる。なお、取付凸部３４０の取り付け位置、取付凸部３４０の数については、図１２の（ａ）に限らない。周壁部３４の２箇所、３箇所でもよく、４箇所以上でもよい。また、等間隔でなくてもよい。
また、隣り合う２つの取付凸部３４０の間には、カバー４の周部３３への取り付けをガイドする取付ガイド部３４４が形成される。本実施の形態では、取付凸部３４０は４箇所形成される。
【００３４】
図１４の（ａ）に示すように、取付ガイド部３４４は、光源配置部３０から連続して下方に傾斜する傾斜部３４５と、傾斜部３４５の下端部から下方に略垂直に形成された外周部３４６とを有する。外周部３４６は、下方に向かって略広がるように傾斜していてもよい。その場合、外周部３４６の傾斜角は傾斜部３４５の傾斜角よりも十分に小さいものとする。
【００３５】
底面部３５に形成される溝部３５０は、底面部３５における取付ガイド部３４４の部分に形成される。
図１２の（ａ）及び図１４の（ａ）に示すように、溝部３５０は、内周部３５１と、外周部３５２と、底部３５３と、両側の側端部３５４を備える。両側の側端部３５４を側端部３５４ａ，３５４ｂとする。
【００３６】
図１４の（ｂ）に示すように、取付凸部３４０は、光源配置部３０から連続して下方に傾斜する傾斜部３４１と、傾斜部３４１の下端部から下方に略垂直に形成された外周部３４２と、外周部３４２の下端部から本体部３の内側に向かって周壁部３４まで形成された対向部３４３と有する。
対向部３４３は、底面部３５と対向する。対向部３４３は、カバー４を係止する係止部ともいう。
【００３７】
＜光源部６の説明＞
光源部６は、本体部３の光源配置部３０に取り付けられる。
光源部６は、光源回路基板６０と、光源回路基板６０の実装面である実装部６１に実装される光源素子６７とを備える。光源素子６７は、具体的には、ＬＥＤである。また、光源回路基板６０には、ネジ貫通孔６５が形成され、ネジ７を用いて本体部３に取り付けられる。光源部６は、光源回路基板６０の実装部６１の裏面である熱伝達部６２と光源配置部３０とが当接した状態で、光源配置部３０に固定される。
また、光源回路基板６０には、電源部５に接続された電線を挿通させる電線挿通孔６６が形成される。
【００３８】
図１に示すように、ネジ７は、光源回路基板６０のネジ貫通孔６５、光源配置部３０のネジ貫通孔３１、蓋部２５のネジ貫通部２６を貫通し、リブ２２１に設けられたネジ孔２２２にねじ込まれる。このネジ７により、光源部６、本体部３、内部筐体２の蓋部２５及び筒部２０を一体に固定する。
【００３９】
図９に示す第２電線対９は、蓋部２５の電線貫通孔２７、光源配置部３０の電線貫通孔３２、光源回路基板６０の電線挿通孔６６を貫通し、光源回路基板６０の実装部６１に電気接続される。第２電線対９は、はんだ付け、溶接、異方性導電シートなどを用いた圧着、コネクタ等により、実装部６１に電気接続される。第２電線対９は、点灯電力出力線ともいう。
【００４０】
＜カバー４の説明＞
図１５は、本実施の形態に係るカバー４の斜視図である。
図１６は、本実施の形態に係るカバー４を示す図であり、（ａ）が平面図、（ｂ）が底面図である。
図１７は、本実施の形態に係るカバー４を示す図であり、（ａ）が正面図、（ｂ）が図１６の（ａ）のＤ−Ｄ断面図、（ｃ）が図１６の（ａ）のＣ−Ｃ断面図である。
図１８は、本実施の形態に係るカバー４を示す図であり、（ａ）が図１７の（ｃ）のＱ部拡大図、（ｂ）が図１７の（ｂ）のＰ部拡大図である。
図１９は、本実施の形態に係る凹部４１０の光学特性の作用効果を示す図である。
図２０は、本実施の形態に係る灯具１００の光学的作用効果を説明する配光特性図である。
【００４１】
図１〜図４及び図１５〜図２０を用いて、カバー４の構成について説明する。
カバー４は、一つの部品で構成された透光性を有するカバーである。カバー４は、光源部６を覆った状態で本体部３に取り付けられる。カバー４は、本体部３と比較して熱伝導率が小さい樹脂材料を用いて形成される。
本実施の形態に係る灯具１００は、外殻部に占めるカバー４の割合が大きいため、使用者は灯具１００を照明器具２００に取り付けたり取りはずしたりするときにカバー４を握ることが想定される。カバー４は本体部３と比較して熱伝導率が小さい樹脂材料を用いて形成される。よって、使用者が、消灯直後に灯具１００に触れた場合でも不快感を覚えることがない。また、火傷など怪我のリスクも大幅に低減させることができる。
主部４０は、光透過性の材料を含んで形成されている。また、主部４０は、光拡散性の材料を含んで形成されている。
【００４２】
カバー４は、光源部６と光源部６の周囲に設けられた環状の周部３３とを有する本体部３に、光源部６を覆った状態で取り付けられる。
カバー４は、一つの部品で構成され、カバー４の最大外径Ｗ１より小さい径Ｗ２８の環状のカバー取付部４３であって周部３３に取り付けられるカバー取付部４３を備える。
図１５及び図１７に示すように、カバー４は、カバー４の最大外径Ｗ１より小さい径の開口４０１が形成される。開口４０１の縁部であるカバー取付部４３が本体部３の周部３３の外側に取り付けられる。カバー取付部４３の径Ｗ２８は、カバー４の最大外径Ｗ１より小さい。
また、図１７に示すように、カバー取付部４３の内周部の径寸法が、主部４０の最大径部であるカバー外周部Ｍの径寸法、すなわちカバー４の最大外径Ｗ１より小さい。また、カバー取付部４３の外周部の径寸法が、主部４０の最大径部であるカバー外周部Ｍの径寸法、すなわちカバー４の最大外径Ｗ１より小さい。
【００４３】
カバー４は、光透過部、透光部、光拡散部、グローブともいう。
カバー取付部４３は、開口４０１の内側に向かって突き出たカバー凸部４５であって、本体部３の対向部３４３と底面部３５との間に止められているカバー凸部４５を有する（図２２の（ａ）参照）。すなわち、カバー取付部４３は、少なくとも一部において、カバー取付部４３の内周部からカバー取付部４３の中心に向かって張出すカバー凸部４５を有する。カバー凸部４５は張出部ともいう。
また、カバー４は、カバー凸部４５から発光向きと反対向きに設けられた取付爪部４６であって、溝部３５０の内部に挿入されている取付爪部４６を有する（図２２の（ｂ）参照）。
カバー４は、カバー取付部４３が本体取付部である周部３３に対し、周部３３の外側から係合して取り付けられる。
カバー４と本体部３との取付け構造については後で説明する。
【００４４】
図１５に示すように、カバー４は、外側が略球体の外形をなし内側に略球体の内部空間が形成された主部４０と、主部４０の最大径であるカバー４の最大外径Ｗ１より小さい径Ｗ２８であり主部４０の一部に形成されたカバー取付部４３とを有する。カバー４は、外周面である外周面部４１と、内周面である内周面部４２とを有する。
カバー４は、外周面部４１及び内周面部４２が略球体の形状で、内周面部４２の内側に略球体の内部空間が形成された主部４０と、主部４０の一部に円環状に形成されたカバー取付部４３とを有する。
カバー取付部４３は、具体的には、主部４０に形成された開口４０１の縁部である。
主部４０は、光源素子６７が発する光を出射する光出力部である。
【００４５】
カバー４は、外周面部４１におけるカバー取付部４３の近傍に、環状の凹部４１０が形成される。
カバー４は、カバー４の外周面である外周面部４１のうち、外周面部４１からカバー取付部４３を除いた部分の最大外径Ｗ１をなすカバー外周部Ｍと、カバー取付部４３との間の外周面部４１に、環状の凹部４１０が形成されている。カバー４の最大外径Ｗ１のカバー外周部Ｍは、カバー４の最大径の部分、すなわちカバー４において一番膨らんだ部分の外周部であり、最大径部ともいう。
カバー４は、外周面部４１のうち凹部４１０が形成されていない領域が連続する曲面により構成される。
カバー４は、外周面部４１のうち凹部４１０が形成されていない領域が連続する球面により構成される。すなわち、外周面部４１は球面の一部が欠けた形態である。外周面部４１は、凹部４１０が形成されていない領域が滑らかに連続する球面であり、凹部４１０は球面の一部が凹むことにより形成されている。
【００４６】
図１９に示すように、カバー４は、カバー取付部４３と、カバー取付部４３に沿った主部４０のカバー外周部Ｍとの間に、カバー取付部４３に沿って形成された凹部４１０を備える。つまり、凹部４１０は、カバー取付部４３の環状と、略平行に設けられた環状の凹みである。
【００４７】
図１８及び図１９に示すように、凹部４１０は、底部４１３と、カバー取付部４３に対向するカバーの頂部４０２の側から底部４１３に向かって傾斜する第１傾斜部４１２と、底部４１３から外周面部４１まで傾斜する第２傾斜部４１１とを有する。外周面部４１と第１傾斜部４１２との境界と、第１傾斜部４１２と底部４１３との境界と、底部４１３と第２傾斜部４１１との境界と、第２傾斜部４１１と外周面部４１との境界とは、滑らかに連続する曲面により構成される。
なお、第１傾斜部４１２と底部４１３と第２傾斜部４１１とのそれぞれは、平面を成していても構わない。しかし、第１傾斜部４１２と底部４１３と第２傾斜部４１１と外周面部４１とが、全体として滑らかに連続する曲面により構成されることが好ましい。
【００４８】
第１傾斜部４１２は、カバー取付部４３の側に突き出た曲面部４１２１を有する。
また、第１傾斜部４１２においてカバー取付部４３の中心部から頂部４０２に向かう軸方向の幅は、第２傾斜部４１１の軸方向の幅より広いことが好ましい。
【００４９】
図１８の（ａ）に示すように、凹部４１０は、第１傾斜部４１２と、第２傾斜部４１１と、底部４１３とを備える。また、外周面部４１において、第１傾斜部４１２と第２傾斜部４１１と底部４１３とは滑らかな曲面により連結されている。すなわち、外周面部４１は連続した曲面で構成されている。
カバー４は、開口４０１の径がカバー４の最大径Ｗ１より小さいため、複雑な構成の金型を必要とするインジェクション成形（射出成形）よりもブロー成形（中空成形）が製造方法として適している。ブロー成形では、気体を吹き込む工程において気圧によって樹脂材料が金型から外れることがないように金型と係合させる必要があり、金型と係合させるように形成された凹部４１０はブロー成形において好適な態様である。換言すると、カバー４は、凹部４１０により、気体を吹き込む工程において樹脂材料の移動を規制することができる。
【００５０】
凹部４１０は、主部４０の外周面部４１に形成される。
凹部４１０は、主部４０のいずれの部分の肉厚より浅い肉厚である。図１８の（ｂ）に示すように、溝部の深さ寸法Ｗ２９は、主部４０のいずれの場所の厚さ寸法より小さい。
また、凹部４１０が形成された部分の厚みは、凹部４１０が形成されてない部分の厚みよりも薄い。
【００５１】
カバー取付部４３は、主部４０の最大外径Ｗ１より小さい径である開口４０１の外側に環状に主部４０と一体的に形成される。
カバー取付部４３は、本体部３の底面部３５に当接する当接面部４４と、当接面部４４に沿って開口４０１の中心に向かって張出したカバー凸部４５とを有する。
カバー４は、カバー取付部４３のカバー凸部４５が周部３３の取付凸部３４０に係合することにより、本体部３に取り付けられる。
【００５２】
図１７の（ｂ）（ｃ）及び図１８に示すように、カバー取付部４３のカバー凸部４５は、周壁部３４からの張出し寸法Ｗ３０がカバー４の最大の厚さ寸法Ｄ１よりも小さいことが好ましい。
また、図１４の（ｂ）及び図１８に示すように、カバー取付部４３のカバー凸部４５は、張出し寸法Ｗ３０が周部３３の取付凸部３４０の張出し寸法Ｗ３６以上であることが好ましい。すなわち、カバー凸部４５の張出し寸法Ｗ３０は、取付凸部３４０の張出し寸法Ｗ３６と同じ、あるいは取付凸部３４０の張出し寸法Ｗ３６より大きいことが好ましい。
【００５３】
カバー凸部４５は、開口４０１の縁部に環状に形成される。また、カバー凸部４５は、開口４０１の縁部に複数形成されてもよい。つまり、カバー凸部４５は、複数に分割されて形成されていてもよい。カバー凸部４５が複数に分割される場合は、カバー４が本体部３に取り付けられる際に本体部３の取付凸部３４０に対応する位置に、カバー凸部４５を形成する。
【００５４】
カバー取付部４３は、主部４０と一体的に形成され、当接面部４４から当接面部４４の法線方向に立設させた取付爪部４６を有する。この取付爪部４６は、周部３３の溝部３５０に挿入される。
図１８の（ｂ）に示すように、取付爪部４６は、内周部４６０と、外周部４６１と、先端部４６２と、両側の側端部４６３とを備える。図９に示すように両側の側端部４６３を、側端部４６３ａ，４６３ｂとする。取付爪部４６は、軸Ｏの周方向を切った断面が略三角形である。なお、取付爪部４６の軸Ｏの周方向を切った断面は、略三角形以外でも構わない。取付爪部４６は、断面が略三角形形となっているので、本体部３の溝部３５０に挿入し易い。
【００５５】
図１７の（ｂ）（ｃ）及び図１８の（ｂ）に示すように、取付爪部４６は、カバー凸部４５から立ち上がる立設寸法Ｌ２６がカバー４の最大の厚さ寸法Ｄ１よりも小さいことが好ましい。
また、図１４の（ａ）及び図１８の（ｂ）に示すように、取付爪部４６は、立設寸法Ｌ２６が溝部３５０の深さ寸法Ｌ２４以下であることが好ましい。
【００５６】
取付爪部４６は、環状のカバー凸部４５の一部に形成される。取付爪部４６は、カバー４が本体部３に取り付けられる際に、本体部３の溝部３５０に対応する位置に形成される。
カバー取付部４３において取付爪部４６が形成される周方向の延べ角度は、本体部３の周部３３において溝部３５０が形成される周方向の延べ角度よりも小さい。すなわち、開口４０１の環状の縁部に対して取付爪部４６が形成される部分の割合は、周部３３に対して溝部３５０が形成される部分の割合よりも小さくなるように形成される。
また、図１７に示す取付爪部４６の周方向の幅Ｗ２７は、図１２の（ａ）に示す本体部３の溝部３５０の周方向の幅Ｗ１９よりも小さいことが好ましい。すなわち、取付爪部４６の周方向の長さは、本体部３の溝部３５０の周方向の長さよりも短いことが好ましい。なお、取付爪部４６の周方向の長さと、本体部３の溝部３５０の周方向の長さとは略同一でも構わない。
【００５７】
ここで、凹部４１０についてさらに詳しく説明する。
図１９に示すように、凹部４１０は、カバー４の最大径部であるカバー外周部Ｍを基準として、口金１の側、すなわち下方の外周面部４１の少なくとも一部に形成される。
また、凹部４１０は、光源部６を基準として、口金１の側の外周面部４１の少なくとも一部に形成される。
また、凹部４１０は、光源部６の光源素子６７を基準として、口金１の側の外周面部４１の少なくとも一部に形成される。
また、凹部４１０は、光源部６の光源回路基板６０を基準として、口金１側の外周面部４１の少なくとも一部に形成される。
また、凹部４１０は、光源部６の実装部６１を基準として、口金１側の外周面部４１の少なくとも一部に形成される。つまり、凹部４１０は、光源素子６７の上端とカバー取付部４３との間の外周面部４１に形成されている。
【００５８】
凹部４１０が外周面部４１において上記のような位置に形成されることにより、凹部４１０は、中心光度（中心軸Ｏ−Ｏ上の角度０°の向きの光束値）に対する相対値が６０％以下となる外周面部４１の領域に設けられる。よって、凹部４１０の近傍において、外周面部４１から照射される光が極端に不連続な印象を与えることがない。また、凹部４１０は連続した曲面で構成されるので、厚さ寸法の極端な変化がなく、光透過率の変化が極めてスムーズなものとなる。
なお、図１９に示すように、中心光度（中心軸Ｏ−Ｏ上の角度０°の向きの光束値）に対する相対値が６０％以下となる外周面部４１の領域は、最大径部であるカバー外周部Ｍよりも口金側に設けられている。よって、使用者は、凹部４１０、及び凹部４１０の近傍における若干不連続な照射光の変化を直接視認することがない。
このため、本実施の形態では、光学仕様、視覚的特性、いずれもおいても優れた灯具１００となっており、凹部４１０の形態から連想される光学的な違和感は全くない。
【００５９】
図２０では、本実施の形態に係る灯具１００の光学的作用効果を示す配光特性図を示している。破線は凹部４１０を設けないカバーを用いた灯具の配光特性を示し、実線は凹部４１０を設けたカバー４を用いた本実施の形態に係る灯具１００の配光特性を示す。配光特性を比較するために、中心光度（中心軸Ｏ−Ｏ上の角度０°の向きの光束値）を揃えて重ねて図示している。放射方向の１目盛りは２０％、周方向、すなわち角度方向の１目盛りは２０°を示している。
概ね１００°以上の領域で配光特性に差が現れるが、１８０°から２４０°の範囲にかけて、両者の特性の差は最大値を示す。この凹部４１０が形成されたことによって、中心光度（中心軸Ｏ−Ｏ上の角度０°の向きの光束値）に対する相対値が５０％となる角度（配光角）は約２００°から約２２０°へと略２０°の改善効果が確認されている。
【００６０】
また、略球体であるカバー４そのものは傾きを認識することが難しいが、本実施の形態に係るカバー４では、開口端部である開口４０１の縁部に沿って形成された凹部４１０が傾きの認識をサポートする。このようなサポートは、カバー４を本体部３に取り付ける際に好適である。つまり、使用者は、開口４０１の縁部に沿って形成された凹部４１０と、本体部３の底面部３５との平行度を確認しながらカバー４を本体部３に取り付けることができるので、カバー４が傾くことなく本体部３に正確に取り付けられる。よって、製造品質、初期品質、経年品質を確実に維持することができる。
【００６１】
また、凹部４１０が形成されたことによって、使用者が灯具１００を照明器具に取り付けたり取り外したりする際に、指先にカバー４がフィットして掴み易くなるという効果も奏する。
【００６２】
ここで、第１傾斜部４１２について説明する。
図１９に示すように、中心軸Ｏ−Ｏに沿った断面視において、外周面部４１が略球体であるカバー４の接線に対する法線方向を破線矢印ｒ１、ｒ２、ｒ３の向きとする。また、第１傾斜部４１２の接線に対する法線方向を実線矢印ｒ２ａ、ｒ３ａの向きとする。
第１傾斜部４１２は、カバー４の接線に対する法線方向である破線矢印ｒ１、ｒ２、ｒ３の向きを基準として、第１傾斜部４１２の接線に対する法線方向である実線矢印ｒ２ａ、ｒ３ａの向きが口金１の側に向いている。つまり、第１傾斜部４１２では、略球体の場合に比べて光がより口金１の側へ照射されやすくなっている。
すなわち、カバーに凹部４１０が無い場合と比べて、ｒ２がｒ２ａとなり、ｒ３がｒ３ａとなる。ここで、ｒ２とｒ２ａとの角度θｒ２は、θｒ２＞０°となり、ｒ３とｒ３ａとの角度θｒ３は、θｒ３＞０°となる。
【００６３】
そして、第１傾斜部４１２は、上端部から下端部に向かうにしたがって、第１傾斜部４１２の接線に対する法線方向である実線矢印ｒ２ａ、ｒ３ａの向きが、徐々により口金１の側を向ように形成されている。つまり、θｒ３＞θｒ２＞０°の関係となっている。
したがって、カバー４の外周面部４１から照射される光の光度あるいは光量がより減衰する口金１の側で、光を口金１の側へ照射させることができる。
【００６４】
さらに、中心軸Ｏ−Ｏに沿った断面視において、カバー４の第１傾斜部４１２が形成された部分は、上端部から下端部に向かうにしたがって、厚さ寸法が徐々に小さくなるように形成されている。つまり、カバー４の外周面部４１から照射される光の光度あるいは光量がより減衰する口金１の側で、よりカバー４の光の透過率が大きくなるので、光を口金１の側へ照射させることができる。すなわち、｜ｒ３ａ｜＞｜ｒ２ａ｜＞｜ｒ１｜となる。なお、図１９におけるｒの矢印の長さは、絶対光度（光量）ではなく光の取出効率の大きさを模式的に示している。｜ｒ３ａ｜、｜ｒ２ａ｜、｜ｒ１｜は、各方向における光の取出効率の大きさを示す。
【００６５】
次に、第２傾斜部４１１について説明する。
中心軸Ｏ−Ｏに沿った断面視において、第２傾斜部４１１は、第１傾斜部４１２の下端部における接線に対する法線方向である実線矢印ｒ３ａの向きを基準として、中心軸Ｏ−Ｏに近くなるような傾斜角度を成す。つまり、第２傾斜部４１１の傾斜角度は、第１傾斜部４１２における接線に対する法線方向（実線矢印ｒ３ａの向き）と交差しない角度となっている。すなわち、第１傾斜部４１２と第２傾斜部４１１とが成す角度は９０度より大きい。
このような第１傾斜部４１２と第２傾斜部４１１とは、第２傾斜部４１１が第１傾斜部４１２から照射される光を妨げないようにする形態として好適である。特に、第１傾斜部４１２の下端部では、厚さ寸法が小さいためカバー４を透過して取り出される光の取り出し効率が最も高いことが望まれるので、第２傾斜部４１１は、第１傾斜部４１２の下端部の接線に対する法線方向と所定の角度を有するような傾斜角度θｔをもって形成されることが望ましい（θｔ≧０°）。
【００６６】
カバー４は、頂部４０２の厚さ寸法Ｄ１を基準にして、カバー取付部４３の側に向って徐々に厚さ寸法が小さくなるように成形されてもよい。カバー４は、光拡散性を有する材料で形成された場合には、厚さ寸法が大きくなるに従って光透過性が低下し光拡散性が向上し、厚さ寸法が小さくなるに従って光透過性が向上し光拡散性が低下する。よって、灯具１００はさらに広い配光特性を得ることができる。
【００６７】
また、ブロー成形（中空成形）において、熔融されたパリソンに気体が吹き込まれると、一般に、最初に押出される頂部４０２の側は、最後に押出される開口端側よりも厚さ寸法が大きくなる。これはドローダウンとも称され、ブロー成形（中空成形）の欠点とされた厚さ寸法の差であるが、本実施の形態に係るカバー４にとっては、広い配光特性を得る好適な現象と捉えることができる。
【００６８】
なお、カバー４は、ブロー成形法（中空成形法）、射出成形法の他、付加製造技術（Ａｄｄｉｔｉｖｅ  Ｍａｎｕｆａｃｔｕｒｉｎｇ  Ｔｅｃｈｎｏｌｏｇｙ）を用いて形成されてもよい。
【００６９】
＊＊＊本体部３とカバー４との取付け構造について＊＊＊
図２１は、本実施の形態に係る本体部３とカバー４との取付け構造を示す図である。
図２２は、本実施の形態に係る本体部３とカバー４との取付け構造を示す図であり、（ａ）が図４の（ｃ）のＱ１部拡大図、（ｂ）が図４の（ｂ）のＰ１部拡大図である。
図２３は、本実施の形態に係る本体部３とカバー４との取付け構造を示す図であり、（ａ）は本体部３とカバー４との取付け構造を軸Ｏの周方向に切った断面図、（ｂ）が本体部３とカバー４との取付け構造を軸Ｏに直交する面で切った断面図である。
【００７０】
まず、カバー取付部４３のカバー凸部４５と周部３３の取付凸部３４０との係合構造について説明する。
図２１に示すように、カバー４のカバー取付部４３は、本体部３の周部３３の外側に取り付けられる。
図２２に示すように、カバー取付部４３は、周部３３の外側に、周部３３を外側から抱え込むようにして周部３３に取り付けられる。周部３３の外側とは、周壁部３４の表面の側、かつ、底面部の上面の側を指す。
よって、カバー取付部４３が周部３３に取り付けられると、周部３３は、カバー４により覆われた状態となり、ほぼ外部から視認できなくなる。
また、カバー４が本体部３に取り付けられると、カバー４の外周面部４１と本体部３の外周部３６２とが略連続した曲面を成し、灯具１００の意匠性が向上する。
【００７１】
カバー取付部４３のカバー凸部４５と、周部３３の取付凸部３４０とは相互に係合する。カバー取付部４３を含むカバー４は樹脂材料で形成されており可撓性、すなわち弾性を有する。カバー取付部４３のカバー凸部４５は弾性変形を伴いながら周部３３の取付凸部３４０に係合する。
【００７２】
図２２の（ａ）は、図４の（ｃ）のＱ１部拡大図であり、カバー凸部４５と取付凸部３４０とが係合している状態を示している。
カバー凸部４５は、上面部４５０と、内周部４５１と、下面部４５２とを有する。下面部４５２は、上述した当接面部４４である。
カバー４が本体部３に上方から押し込まれると、カバー４は傾斜面である内周部４５１が傾斜部３４１と当接しながら下方に移動する。内周部４５１と傾斜部３４１とが当接するようにそれぞれの傾斜角を構成することが好ましい。カバー４の弾性力により、カバー凸部４５は取付凸部３４０を乗り越える。そして、カバー凸部４５は、対向部３４３と周壁部３４と底面部３５とにより形成された空間領域に嵌り込む。
このとき、下面部４５２と底面部３５とが当接すると共に、上面部４５０は対向部３４３により係止され、カバー４が本体部３に固定される。
【００７３】
次に、カバー取付部４３の取付爪部４６と周部３３の溝部３５０との係合構造について説明する。
図２１に示すように、取付爪部４６と溝部３５０とが対応する位置にくるように、カバー４が本体部３の上方から取り付けられる。
図２２の（ｂ）に示すように、取付爪部４６は溝部３５０に挿入される。このとき、溝部３５０の外周部３５２と、取付爪部４６の外周部４６１とが当接する。溝部３５０の外周部３５２と取付爪部４６の外周部４６１とが当接するようにそれぞれの傾斜角を構成することが好ましい。
【００７４】
図１２の（ａ）で説明したように、溝部３５０は、周部３３の底面部３５に部分的に形成される。このように部分的に形成することによって、溝部３５０に嵌合した取付爪部４６は、カバー４と本体部３との相互の回動を規制する。
図２３の（ａ）（ｂ）に示すように、溝部３５０の周方向の幅Ｗ１９は、取付爪部４６の周方向の幅Ｗ２７よりも大きく形成される。よって、溝部３５０の側端部３５４ａ，３５４ｂと、取付爪部４６の側端部４６３ａ，４６３ｂとの間には、それぞれ隙間ＣＬ１，ＣＬ２が形成される。このような構成により、取付爪部４６は溝部３５０内を隙間ＣＬ１，ＣＬ２分しか回動することができず、周方向の回動が規制される。隙間ＣＬ１，ＣＬ２は周方向の幅の最大値がＷ３４以下となる。
【００７５】
本実施の形態に係る灯具１００では、外殻部に占めるカバー４の割合が大きいため、使用者は灯具１００を照明器具２００に取り付けたり取りはずしたりするときに、カバー４を握ることが想定される。上述の通り、カバー４と本体部３との相互の回動が規制されるので、使用者が灯具１００を照明器具２００に取り付けたり取り外したりするときに、カバー４だけが空回りしてしまうことがなく、確実に取り付けと取り外しを行うことができる。
なお、他の手段による回動規制が可能な場合は、溝部３５０は周部３３の底面部３５に全周に渡って環状に形成してもよいものとする。この場合、金型による成形あるいは全周切削によって、溝部３５０の形成に要する工数を削減することができる。
【００７６】
溝部３５０及び取付爪部４６を複数箇所に設ける場合は、それぞれ異なる幅寸法にして、カバー４の取付け角度、すなわち回転方向の向きを規制してもよい。具体的には、カバー４の表面と本体部３の表面との両方に表示を施す場合に、カバー４と本体部３との相互の位置決めをすることができる。よって、カバー４と本体部３との相互の位置関係が個々の製品毎にばらつかないようにすることができる。
【００７７】
本体部３の周部３３は、溝部３５０が形成される領域において周壁部３４が灯具１００の中心軸Ｏ側に凹状に後退しており、カバー４を本体部３に取り付けるときの取付けガイドの機能を有する。
溝部３５０に適量の接着剤を充填し、取付爪部４６を接着固定することができる。接着剤は溝部３５０に取付爪部４６を挿入（嵌合）しても溝部３５０の内部に留まり、カバー４の主部４０の領域にはみ出さない量で管理される。主部４０の領域、すなわち内周面部４２及び外周面部４１に接着剤がはみ出さないので光学特性を劣化させることはない。また、灯具１００の外側に接着剤がはみ出さないので意匠性にも優れる。
また、本体部３の取付凸部３４０とカバー４のカバー凸部４５とを接着剤を用いて接着固定する方法でもよい。ただし、カバー取付部４３を含むカバー４は樹脂材料で形成されており可撓性を有するため、取付凸部３４０にカバー凸部４５を係合させる際、カバー凸部４５の弾性変形が復元する衝撃によって予め塗布されていた接着剤がカバー内部に飛散する虞がある。そして、接着固定に必要となる充分な接着剤が残存しない状態で係合された場合は充分な接着効果を得られないおそれがある。また、ＬＥＤ６７などの光学要素に飛散した接着剤が付着した場合は充分な光学特性を得られないおそれがある。さらに、取付凸部３４０に塗布された接着剤をカバー凸部４５が拭い去ってしまい、灯具１００の外側にはみ出して意匠性を損なうおそれもある。
よって、溝部３５０に適量の接着剤を充填し、取付爪部４６を接着固定する方式が好ましい。
【００７８】
次に、本体部３、及びカバー４の各部の寸法について説明する。
本実施の形態に係る灯具１００の寸法と形態は、日本照明工業会が制定する規格ＪＥＬ１１８に基づく型式ＰＳ３５の形態を前提としている。本実施の形態に係る灯具１００では、光源部６の光源素子６７の位置は、口金１の最下端を基準として、中心軸Ｏ−Ｏの方向にカバー４に向って５０ｍｍの位置よりも口金１の側に配置されている。このような配置により、灯具１００は、点灯時にミニクリプトン電球に近い照明効果を得ることができる。
すなわち、図４を参照し、以下の通りとなる。
口金１〜光源配置部３０：Ｌ２＋Ｌ３＋Ｌ４＋Ｌ５≦５０ｍｍ
口金１〜光源素子６７：Ｌ２＋Ｌ３＋Ｌ４＋Ｌ６＋Ｌ７≦５０ｍｍ
【００７９】
本実施の形態に係る灯具１００は簡素な構成で広い配光特性を得るため、外殻部は口金１の側までカバー４の主部４０で構成している。このため、本体部３は、最大外径Ｗ１７が小さくなる。
図１２に示すように、本体部３は、最小外径Ｗ２０に対して最大外径Ｗ１７は概ね１６０％以下、特に略１５７％以下が好ましい。逆に、最大外径Ｗ１７に対して最小外径Ｗ２０は概ね６１％以上、特に６３％以上となることが好ましい。
【００８０】
また、同様の理由により、本体部３は、長さ（高さ）寸法、すなわち図４に示す外殻部分のＬ４が小さくなる。
カバー４の外殻部分、すなわち図１７の（ａ）に示す主部４０の長さ（高さ）寸法Ｌ２７＋Ｌ２８＋Ｌ８＋Ｌ３０に対して、本体部３の外殻部分の長さ（高さ）寸法Ｌ４は小さく、概ね６５％以下となる。
【００８１】
上述のように、本実施の形態に係る灯具１００は簡素な構成で広い配光特性を得るため、外殻部は口金１の側までカバー４の主部４０で構成する。また、灯具１００は高い器具装着性を求められるため、カバー４は口金１の側の端部を縮径させている。この結果、光源配置部３０も寸法（面積）の制約を受け、広い配光特性を得るためには、光源素子６７を光源回路基板６０においてなるべく外側へ配置することが望まれる。
図１３に示すように、本体部３の最大外径Ｗ１７に対して、光源配置部の最大外径Ｗ２２は、概ね８５％以上とすることが好ましい。
【００８２】
図１２の（ａ）に示すように、本体部３の周部３３は、本体部３の最大外径Ｗ１７の８０％以上の領域に設けられることが好ましい。特に、本体部３の周部３３は、本体部３の最大外径Ｗ１７の８５％以上の領域に設けられることが好ましく、８６％以上の領域がより好ましい。周部３３の最大外径Ｗ１７は、カバー４の最大外径Ｗ１の９０％以下であることが好ましく、８５％以下であることがより好ましい。
【００８３】
また、周部３３は、最大高さ寸法（Ｌ２３＋Ｌ２４）（図１４の（ａ）参照））が、本体部３の高さ寸法（Ｌ２１＋Ｌ２２＋Ｌ２３）（図１３の（ａ）参照））の２０％以下であることが好ましく、特に１６％以下であることがより好ましい。
【００８４】
以上のように、光源配置部３０の寸法（面積）を最大化するために、周部３３は、本体部３の最大外径Ｗ１７に対して、概ね１５％（片側７．５％）の寸法範囲に、嵌合及び係合の構成をコンパクトに凝縮させている。
【００８５】
上述のように、本実施の形態に係る灯具１００は簡素な構成で広い配光特性を得るため、外殻部は口金１の側までカバー４の主部４０で構成している。このため、カバー４は、外殻部分である主部４０の最小外径Ｗ２８が小さくなる。カバー４の最大外径Ｗ１に対して最大外径Ｗ２８は概ね８６％以下、逆に、最小外径Ｗ２８に対して最大外径である最大外径Ｗ１は概ね１１７％以上となる。
同様の理由により、カバー４の外殻部分である主部４０の長さ（高さ）寸法Ｌ２７＋Ｌ２８＋Ｌ８＋Ｌ３０が大きくなる。本体部３の外殻部分の長さ（高さ）寸法Ｌ４に対して、カバー４の外殻部分である主部４０の長さ（高さ）寸法Ｌ２７＋Ｌ２８＋Ｌ８＋Ｌ３０は大きく、概ね１５６％以上となる。
【００８６】
本実施の形態では、以下のような灯具１００について説明した。
灯具１００は、一端側に光源部６が配置される光源配置部３０、他端側に給電端子である口金１が取り付けられる給電端子取付部（ネジ部２１０）が形成された筐体部を備える。筐体部とは、本体部３と内部筐体２とから構成される。また、筐体部にはカバー４が取り付けられる。
筐体部は、給電端子取付部（ネジ部２１０）と光源配置部３０との間に形成され、光源配置部３０より外側に張出す取付凸部３４０を有する。カバー４は、カバー凸部４５を有し、カバー凸部４５と取付凸部３４０とが係合することによって筐体部に取付けられる。
カバー４は、本体部３の光源配置部３０を基準として、口金１の側に取付けられる。
【００８７】
灯具１００は、筒状の口金１と、口金１と同心に口金１の内側に取付けられる筒状の内部筐体２と、内部筐体２と同心に内部筐体２の周壁部の一部を覆う本体部３と、筐体部（本体部３及び内部筐体２）の口金１と反対側の端部を覆うように本体部３に取付けられるカバー４とからなる外殻部を形成する。
外殻部は、口金１の軸心方向における最大寸法（Ｌ１）および口金１の軸心と直行する方向における最大寸法（カバーの外径Ｗ１）が、ＪＥＬ１１０の型式ＰＳ３５で規定された寸法以下の寸法である。
また、口金１の軸心方向における外殻部の最大寸法（Ｌ１）は７０ｍｍ以下である。
口金１の軸心と直交する方向における外殻部の最大寸法（カバー外径Ｗ１）は３５ｍｍ以下である。
【００８８】
＊＊＊照明装置の説明＊＊＊
図２４は、本実施の形態に係る灯具１００を吊り下げタイプの照明器具２００に装着した照明装置３０００ａを示す図である。
照明器具２００は、天井面などの取付部２０００に取り付けられる。
照明器具２００は、装置本体２００ａ、ソケット２０１、電源コード２０３、引掛シーリング２０４を備える。
灯具１００は、照明器具２００のソケット２０１に装着される。
本実施の形態に係る灯具１００の広配光化によって、天井側の明るさが増す。また、本実施の形態に係る灯具１００では、灯具１００の軽量化によって、電源コード２０３への負担が軽減される。
【００８９】
図２５は、本実施の形態に係る灯具１００を埋め込みタイプの照明器具３００に装着した照明装置３０００ｂを示す図である。
照明器具３００は、天井面などの取付部２０００に設けられた取付孔４０００に取り付けられる。
照明器具２００は、リフレクタや化粧フレームなどを備える装置本体３０１、ソケット２０１を備える。
灯具１００は、照明器具３００のソケット２０１に装着される。
本実施の形態に係る灯具１００の広配光化によって、リフレクタ上部の明るさが増す。また、灯具１００の小型化によって、装置本体３０１への装着性が向上する。また、灯具１００の軽量化によって、装置本体３０１への負担が軽減される。
【００９０】
図２６は、本実施の形態に係る灯具１００を埋め込みタイプの照明器具４００に装着した照明装置３０００ｃを示す図である。
照明装置３０００ｃは、天井面などの取付部２０００に形成された取付孔４０００に取り付けられた天井埋め込み型の照明装置である。
【００９１】
照明器具４００は、リフレクタや化粧フレームを備える装置本体４０１１、保持アーム４０２１、ソケット２０１、端子台４０３を備える。
本実施の形態に係る灯具１００の広配光化によって、リフレクタ全体の明るさが増す。また、灯具１００の小型化によって、装置本体への装着性が向上する。また、灯具１００の軽量化によって、装置本体４０１１への負担が軽減される。
【００９２】
＊＊＊本実施の形態に係る効果の説明＊＊＊
一般にカバーの面積が小さい場合、光を拡散させたり広範囲に配光したりするために、複雑な光学要素を必要とする。
本実施の形態に係る灯具１００によれば、カバー４と本体部３との取付け構造を改良し、光学部品を一つの筐体であるカバー４で構成することにより、灯具１００全体を簡素な構成で実現することができる。また、カバー４が一体成形されるため、長期にわたって信頼性が維持させることができる。
具体的には、図４の（ａ）に示すように、灯具１００の長手方向において、外殻部分に占める本体部３の比率を小さくし、外殻部分に占めるカバー４の比率を大きくしている。
【００９３】
特に、Ｅ１７タイプのような小型の口金を備えた小形ＬＥＤランプにおいて、照明器具２００に対する適合率、装着性を向上させるためには、一般にミニクリプトン電球と呼ばれる電球と同寸法、同形態であることが望まれる。
本実施の形態に係る灯具１００の寸法と形態は、日本照明工業会が制定する規格ＪＥＬ１１８に基づく以下のような型式ＰＳ３５の形態を前提とする。
球径（カバーの最大外径Ｗ１）：３５ｍｍ
長さ（Ｌ１）：７０ｍｍ以下
口金から光源（発光中心）までの距離（Ｌ１−Ｌ８−Ｌ９−Ｄ１）：５０ｍｍ以下
【００９４】
本実施の形態に係る灯具１００では、上記の条件を満たしつつ、広配光を目的としているため、本体部３とカバー４との境界は口金１の側に移動し、境界部分の径寸法（Ｗ１７、Ｗ２８）は一般的な小形ＬＥＤランプに対して小さな寸法となる。
本実施の形態に係る灯具１００では、光学部品は１つのカバー４のみであり、この構成で広配光を達成するために、以下の特徴を有する。
（１）光源素子６７は極力光源配置部３０の周縁部に配置する。
（２）光源素子６７とカバー４との距離（≒Ｌ８＋Ｌ９）（図４の（ｂ）参照）を確保する。すなわち、光源素子６７は、できるだけ口金１の側に配置する。
つまり、光源配置部３０は一般的な小形ＬＥＤランプより縮径されるため、カバー４を本体部３に取り付けるためのスペースに対して制約を受ける。このため、カバー４のカバー取付部４３および本体部３の周部３３のそれぞれの形態と相互の関係に工夫が必要となる。
具体的には、本実施の形態に係る灯具１００よれば、カバー４が本体部３を抱え込む構造とすることにより、コンパクトな取付け構造を実現することができる。
【００９５】
また、本実施の形態に係る灯具１００よれば、取付爪部４６と溝部３５０とにより、カバー４と本体部３との相互の回動規制を兼ねることができる。よって、簡単な構成で、使用者が灯具１００を照明器具２００に取り付けたり取り外したりするときに、確実に取り付けと取り外しを行うことができる。
【００９６】
また、本実施の形態に係る灯具１００では、本体部３を小型化したので、質量が減少している。また、比較的比重が大きい本体部３は、灯具１００における体積比率が減少している。よって、本体部３にいかなる材料を用いても、灯具１００を軽量化することができる。
【００９７】
以上のように、本実施の形態に係る灯具１００によれば、小型化と軽量化を妨げることなく、安価に広い配光を得る電球形ランプ、およびこの電球形ランプを備えた照明装置を提供することができる。
【００９８】
＊＊＊他の構成＊＊＊
なお、本実施の形態では光源素子６７としてＬＥＤを用いているが、ＬＥＤ以外の光源素子でもよい。具体的には、光源素子として、有機ＥＬあるいはレーザーを用いてもよい。
灯具１００は、ＬＥＤを光源として用いたミニクリプトンタイプの小型電球を例として説明したが、その他の形態の電球形ランプでも適用可能である。
【００９９】
以上、本発明の実施の形態について説明したが、この実施の形態のうち、２つ以上を組み合わせて実施しても構わない。あるいは、この実施の形態のうち、１つを部分的に実施しても構わない。あるいは、この実施の形態のうち、２つ以上を部分的に組み合わせて実施しても構わない。その他、この実施の形態を、全体としてあるいは部分的に、どのように組み合わせて実施しても構わない。
なお、上記の実施の形態は、本質的に好ましい例示であって、本発明、その適用物及び用途の範囲を制限することを意図するものではなく、必要に応じて種々の変更が可能である。
【符号の説明】
【０１００】
１  口金、１０  ネジ部、１２  アイレット部、１３  アイレット孔、２，２ａ  内部筐体、２０  筒部、２１  外周部、２１０  ネジ部、２１１  鍔部、２１２  挿入ガイド凸部、２１３  電線配置溝、２２  内周部、２３  第１開口端部、２４  第２開口端部、２２０  収容部、２２１  リブ、２２２  ネジ孔、２２３  第１凸部、２２４  第２凸部、２５，２５ａ  蓋部、２６，２６ａ  ネジ貫通部、２７  電線貫通孔、３  本体部、３０  光源配置部、３７  取付面部、３１  ネジ貫通孔、３２  電線貫通孔、３３  周部、３４  周壁部、３４０  取付凸部、３４１  傾斜部、３４２  外周部、３４３  対向部、３４４  取付ガイド部、３４５  傾斜部、３４６  外周部、３５  底面部、３５０  溝部、３５１  内周部、３５２  外周部、３５３  底部、３５４，３５４ａ，３５４ｂ  側端部、３６  筒部、３６０  円筒部、３６１  錐状部、３６２  外周部、３６３  内周部、３６４  挿入ガイド凹部、３６５  開口端部、４  カバー、４０  主部、４０１  開口、４０２  頂部、４１  外周面部、４１０  凹部、４１１  第２傾斜部、４１２  第１傾斜部、４１３  底部、４２  内周面部、４３  カバー取付部、４４  当接面部、４５  カバー凸部、４５０  上面部、４５１  内周部、４５２  下面部、４６  取付爪部、４６０  内周部、４６１  外周部、４６２  先端部、４６３，４６３ａ，４６３ｂ  側端部、５  電源部、５０  点灯回路基板、６  光源部、６０  光源回路基板、６１  実装部、６２  熱伝達部、６５  ネジ貫通孔、６６  電線挿通孔、６７  光源素子、７  ネジ、８  第１電線対、９  第２電線対、１００  灯具、２００，３００，４００  照明器具、２０１  ソケット、２０３  電源コード、２０４  引掛シーリング、４０３  端子台、３０００ａ，３０００ｂ，３０００ｃ  照明装置、２０００  取付部、４０００  取付孔、２００ａ，３０１，４０１１  装置本体、４０２１  保持アーム、４１２１  曲面部、Ｍ  カバー外周部、Ｗ１  最大外径。
【図１】
0006664160.tif 000002
【図２】
0006664160.tif 000003
【図３】
0006664160.tif 000004
【図４】
0006664160.tif 000005
【図５】
0006664160.tif 000006
【図６】
0006664160.tif 000007
【図７】
0006664160.tif 000008
【図８】
0006664160.tif 000009
【図９】
0006664160.tif 000010
【図１０】
0006664160.tif 000011
【図１１】
0006664160.tif 000012
【図１２】
0006664160.tif 000013
【図１３】
0006664160.tif 000014
【図１４】
0006664160.tif 000015
【図１５】
0006664160.tif 000016
【図１６】
0006664160.tif 000017
【図１７】
0006664160.tif 000018
【図１８】
0006664160.tif 000019
【図１９】
0006664160.tif 000020
【図２０】
0006664160.tif 000021
【図２１】
0006664160.tif 000022
【図２２】
0006664160.tif 000023
【図２３】
0006664160.tif 000024
【図２４】
0006664160.tif 000025
【図２５】
0006664160.tif 000026
【図２６】
0006664160.tif 000027